(57)【要約】【課題】地上デジタル放送における移動体向け信号の利用法を提案するとともに、被制御装置とリモートコントローラからなるシステムの利便性を向上させる。【解決手段】  このテレビジョンシステムは、ユーザからの操作に対応して操作信号を送出するリモートコントローラ１、およびリモートコントローラ１から送出される操作信号に対応して動作するテレビジョン受像機２から構成される。リモートコントローラ１は、制御対象であるテレビジョン受像機１によって受信されている番組と同一内容の移動体向け信号を受信し、その映像をテレビジョン受像機２と連動してディスプレイ３３に表示するものである。本発明は、テレビジョン受像機とそのリモートコントローラに適用できる。【選択図】図１
2007006356.tif 000002
【特許請求の範囲】
【請求項１】
送信された映像信号を受信し、前記映像信号に対応する映像を表示させる映像受信装置と、前記映像受信装置を制御するためのリモートコントローラから構成されるリモートコントロールシステムにおいて、
前記リモートコントローラは、
送信された前記映像信号を受信する受信手段と、
前記受信手段によって受信された前記映像信号に基づく映像を表示する表示手段と、
ユーザの操作を受け付ける受付手段と、
前記映像受信装置に対する操作信号を送出する送出手段と、
前記受付手段によって受け付けられた前記ユーザの操作に対応し、前記送出手段を制御して前記操作信号を送出させるとともに、前記リモートコントローラの各部を制御する第１の制御手段とを含み、
前記映像受信装置は、
送信された前記操作信号を検知する検知手段と、
検知した前記操作信号に対応して前記映像受信装置の各部を制御する第２の制御手段とを含む
リモートコントロールシステム。
【請求項２】
送信された映像信号を受信し、前記映像信号に対応する映像を表示させる映像受信装置と、前記映像受信装置を制御するためのディスプレイ付リモートコントローラから構成されるリモートコントロールシステムの表示制御方法において、
前記ディスプレイ付リモートコントローラにおける、
送信された前記映像信号を受信し、
受信された前記映像信号に基づく映像を表示し、
ユーザの操作を受け付け、
受け付けた前記ユーザの操作に対応し、前記映像受信装置に対する操作信号を送出するとともに、前記リモートコントローラの各部を制御する
ステップと、
前記映像受信装置における、
送信された前記操作信号を検知し、
検知した前記操作信号に対応して前記映像受信装置の各部を制御する
ステップと
を含む表示制御方法。
【請求項３】
送信された映像信号を受信し、前記映像信号に対応する映像を表示させる映像受信装置を制御するためのリモートコントローラにおいて、
送信された前記映像信号を受信する受信手段と、
前記受信手段によって受信された前記映像信号に基づく映像を表示する表示手段と、
ユーザの操作を受け付ける受付手段と、
前記映像受信装置に対する操作信号を送出する送出手段と、
前記受付手段によって受け付けられた前記ユーザの操作に対応し、前記送出手段を制御して前記操作信号を送出させるとともに、前記リモートコントローラの各部を制御する制御手段と
を含むリモートコントローラ。
【請求項４】
前記制御手段は、前記受付手段によって受け付けられた前記ユーザの操作に対応し、前記送出手段を制御して前記映像受信装置による映像表示を制御するための前記操作信号を送出させるとともに、前記表示手段を制御する
請求項３に記載のリモートコントローラ。
【請求項５】
前記制御手段は、前記受付手段によって受け付けられた前記ユーザの操作に対応し、前記送出手段を制御して前記映像受信装置による映像表示を制御するための前記操作信号を送出させるとともに、前記表示手段を前記映像受信装置による映像表示に対応付けて制御する
請求項４に記載のリモートコントローラ。
【請求項６】
送信された前記映像信号は、主映像信号および付加情報信号を含み、
前記制御手段は、前記受付手段によって受け付けられた前記ユーザの操作が前記映像受信装置に前記主映像信号に基づく映像のみの表示を指示するものである場合、前記表示手段を制御して前記付加情報信号に基づく映像を表示させる
請求項５に記載のリモートコントローラ。
【請求項７】
送信された前記映像信号は、主映像信号および付加情報信号を含み、
前記制御手段は、前記受付手段によって受け付けられた前記ユーザの操作が前記映像受信装置に前記付加情報信号に基づく映像のみの表示を指示するものである場合、前記表示手段を制御して前記主画像に基づく映像を表示させる
請求項５に記載のリモートコントローラ。
【請求項８】
前記表示手段にズーム処理対象位置を示す枠を描画する描画手段を
さらに含み、
前記描画手段は、前記受付手段によって受け付けられた前記ユーザの操作に対応して前記枠を描画し、
前記制御手段は、前記送出手段を制御して、描画された前記枠の位置およびサイズを示す前記操作信号を送出させる
請求項３に記載のリモートコントローラ。
【請求項９】
送信された映像信号を受信し、前記映像信号に対応する映像を表示させる映像受信装置を制御するためのディスプレイ付リモートコントローラの表示制御方法において、
送信された前記映像信号を受信し、
受信された前記映像信号に基づく映像を表示し、
ユーザの操作を受け付け、
受け付けた前記ユーザの操作に対応し、前記映像受信装置に対する操作信号を送出するとともに、前記リモートコントローラの各部を制御する
ステップを含む表示制御方法。
【発明の詳細な説明】
【技術分野】
【０００１】
本発明は、リモートコントロールシステム、リモートコントローラ、および表示制御方法に関し、特に、テレビジョン受像機を制御するためのリモートコントローラにおいても、テレビジョン受像機が受信するテレビジョン放送信号を受信するようにしたリモートコントロールシステム、リモートコントローラ、および表示制御方法に関する。
【背景技術】
【０００２】
一般的なテレビジョン受像機にはリモートコントローラが付属されている。そして、リモートコントローラの利便性を向上させる方法として、テレビジョン受像機には、リモートコントローラに表示させるための映像を生成し、生成した映像をリモートコントローラに送信する機能を設け、対応するリモートコントローラには、テレビジョン受像機から送信された映像を受信して表示する機能を設ける発明が存在する（例えば特許文献１参照）。
【０００３】
【特許文献１】特開平１１−６９４６３号公報
【発明の開示】
【発明が解決しようとする課題】
【０００４】
リモートコントローラの利便性を向上させるため、リモートコントローラにテレビジョン番組に関する映像を表示することは有効である。しかしながら、特許文献１に記載された発明のように、テレビジョン受像機にリモートコントローラに表示させるための映像を生成し、生成した映像をリモートコントローラに送信する機能を設けることは、テレビジョン受像機の回路規模の拡大やコスト高を生じる。
【０００５】
ところで、２００３年から開始された地上デジタル放送は、移動体受信（例えば、車載されたテレビジョン受像機やテレビジョンチューナ内蔵の携帯電話機などによって受信すること）を考慮した場合、従来の地上アナログ放送に比較して、画面の乱れが非常に少ないことが特徴である。なお、地上デジタル放送においては１チャンネル分の周波数帯域を利用して標準画質の３チャンネル分の情報を送信することができるので、ごく近い将来において地上デジタル放送では、移動体（車載テレビジョン受像機やテレビジョンチューナ内蔵携帯電話機など）を対象とする信号（通常のテレビジョン番組と同じ内容をH.264/MPEG-4 AVCと称するエンコード方式によってエンコードした信号）も送信することが予定されている。以下、地上デジタル放送における移動体を対象とする放送を移動体向け信号と称する。
【０００６】
地上デジタル放送の移動体向け信号の利用に関しては、上述したように車載用のテレビジョン受像機やテレビジョンチューナ内蔵携帯電話機などが想定されているに過ぎず、現在、移動体向け信号の利用方法が模索されている状況である。
【０００７】
本発明はこのような状況に鑑みてなされたものであり、移動体向け信号の利用法を提案するとともに、被制御装置とリモートコントローラからなるシステムの利便性を向上させるようにするものである。
【課題を解決するための手段】
【０００８】
本発明の第１の側面であるリモートコントロールシステムは、送信された映像信号を受信し、前記映像信号に対応する映像を表示させる映像受信装置と、前記映像受信装置を制御するためのリモートコントローラから構成されるリモートコントロールシステムにおいて、前記リモートコントローラが、送信された前記映像信号を受信する受信手段と、前記受信手段によって受信された前記映像信号に基づく映像を表示する表示手段と、ユーザの操作を受け付ける受付手段と、前記映像受信装置に対する操作信号を送出する送出手段と、前記受付手段によって受け付けられた前記ユーザの操作に対応し、前記送出手段を制御して前記操作信号を送出させるとともに、前記リモートコントローラの各部を制御する第１の制御手段とを含み、前記映像受信装置が、送信された前記操作信号を検知する検知手段と、検知した前記操作信号に対応して前記映像受信装置の各部を制御する第２の制御手段とを含む。
【０００９】
また、本発明の第１の側面である表示制御方法は、送信された映像信号を受信し、前記映像信号に対応する映像を表示させる映像受信装置と、前記映像受信装置を制御するためのディスプレイ付リモートコントローラから構成されるリモートコントロールシステムの表示制御方法において、前記ディスプレイ付リモートコントローラにおける、送信された前記映像信号を受信し、受信された前記映像信号に基づく映像を表示し、ユーザの操作を受け付け、受け付けた前記ユーザの操作に対応し、前記映像受信装置に対する操作信号を送出するとともに、前記リモートコントローラの各部を制御するステップと、前記映像受信装置における、送信された前記操作信号を検知し、検知した前記操作信号に対応して前記映像受信装置の各部を制御するステップとを含む。
【００１０】
本発明の第１の側面においては、前記ディスプレイ付リモートコントローラにおいて、送信された映像信号が受信され、受信された前記映像信号に基づく映像が表示され、ユーザの操作が受け付けられ、受け付けられた前記ユーザの操作に対応し、映像受信装置に対する操作信号が送出されるとともに、前記リモートコントローラの各部が制御される。また、前記映像受信装置において、送信された前記操作信号が検知され、検知された前記操作信号に対応して前記映像受信装置の各部が制御される。
【００１１】
本発明の第２の側面であるリモートコントローラは、送信された映像信号を受信し、前記映像信号に対応する映像を表示させる映像受信装置を制御するためのリモートコントローラにおいて、送信された前記映像信号を受信する受信手段と、受信された前記映像信号に基づく映像を表示する表示手段と、ユーザの操作を受け付ける受付手段と、受け付けられた前記ユーザの操作に対応し、前記操作信号を送出させるとともに、前記リモートコントローラの各部を制御する制御手段とを含む。
【００１２】
前記制御手段には、前記受付手段によって受け付けられた前記ユーザの操作に対応し、前記送出手段を制御して前記映像受信装置による映像表示を制御するための前記操作信号を送出させるとともに、前記表示手段を制御させるようにすることができる。
【００１３】
前記制御手段には、前記受付手段によって受け付けられた前記ユーザの操作に対応し、前記送出手段を制御して前記映像受信装置による映像表示を制御するための前記操作信号を送出させるとともに、前記表示手段を前記映像受信装置による映像表示に対応付けて制御させるようにすることができる。
【００１４】
送信された前記映像信号は、主映像信号および付加情報信号を含み、前記制御手段には、前記受付手段によって受け付けられた前記ユーザの操作が前記映像受信装置に前記主映像信号に基づく映像のみの表示を指示するものである場合、前記表示手段を制御して前記付加情報信号に基づく映像を表示させるようにすることができる。
【００１５】
送信された前記映像信号は、主映像信号および付加情報信号を含み、前記制御手段には、前記受付手段によって受け付けられた前記ユーザの操作が前記映像受信装置に前記付加情報信号に基づく映像のみの表示を指示するものである場合、前記表示手段を制御して前記主画像に基づく映像を表示させるようにすることができる。
【００１６】
前記表示手段にズーム処理対象位置を示す枠を描画する描画手段をさらに含むことができ、前記描画手段には、前記受付手段によって受け付けられた前記ユーザの操作に対応して前記枠を描画させ、前記制御手段には、前記送出手段を制御して、描画された前記枠の位置およびサイズを示す前記操作信号を送出させるようにすることができる。
【００１７】
本発明の第２の側面である表示制御方法は、送信された映像信号を受信し、前記映像信号に対応する映像を表示させる映像受信装置を制御するためのディスプレイ付リモートコントローラの表示制御方法において、送信された前記映像信号を受信し、送信された前記映像信号を受信し、受信された前記映像信号に基づく映像を表示し、ユーザの操作を受け付け、受け付けた前記ユーザの操作に対応し、前記映像受信装置に対する操作信号を送出するとともに、前記リモートコントローラの各部を制御するステップを含む。
【００１８】
本発明の第２の側面においては、送信された映像信号が受信され、受信された前記映像信号に基づく映像が表示され、ユーザの操作が受け付けられ、受け付けられた前記ユーザの操作に対応し、映像受信装置に対する操作信号が送出されるとともに、前記リモートコントローラの各部が制御される。また、前記映像受信装置において、送信された前記操作信号が検知され、検知された前記操作信号に対応して前記映像受信装置の各部が制御される。
【発明の効果】
【００１９】
以上のように、本発明の第１の側面によれば、映像受信装置の映像に対応する映像をリモートコントローラに表示させることができる。また、本発明の第１の側面によれば、被制御装置とリモートコントローラからなるシステムの利便性を向上させることができる。
【００２０】
本発明の第２の側面によれば、映像受信装置の映像に対応する映像を表示することができる。また、本発明の第２の側面によれば、リモートコントローラを操作するユーザの利便性を向上させることができる。
【発明を実施するための最良の形態】
【００２１】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２２】
本発明の第１の側面であるリモートコントロールシステムは、送信された映像信号を受信し、前記映像信号に対応する映像を表示させる映像受信装置（例えば、図１のテレビジョン受像機２）と、前記映像受信装置を制御するためのリモートコントローラ（例えば、図１のリモートコントローラ１）から構成されるリモートコントロールシステムにおいて、前記リモートコントローラが、送信された前記映像信号を受信する受信手段（例えば、図２のチューナ２２）と、前記受信手段によって受信された前記映像信号に基づく映像を表示する表示手段（例えば、図２の映像選択合成部３１乃至ディスプレイ３３）と、ユーザの操作を受け付ける受付手段（例えば、図２の操作ボタン１１）と、前記映像受信装置に対する操作信号を送出する送出手段（例えば、図２の操作信号生成部１４乃至送信部１６）と、前記受付手段によって受け付けられた前記ユーザの操作に対応し、前記送出手段を制御して前記操作信号を送出させるとともに、前記リモートコントローラの各部を制御する第１の制御手段（例えば、図２の制御部１２）とを含み、前記映像受信装置が、送信された前記操作信号を検知する検知手段（例えば、図３の操作信号受信部５４）と、検知した前記操作信号に対応して前記映像受信装置の各部を制御する第２の制御手段（例えば、図３の制御部５２）とを含む。
【００２３】
また、本発明の第１の側面である表示制御方法は、送信された映像信号を受信し、前記映像信号に対応する映像を表示させる映像受信装置と、前記映像受信装置を制御するためのディスプレイ付リモートコントローラから構成されるリモートコントロールシステムの表示制御方法において、前記ディスプレイ付リモートコントローラにおける、送信された前記映像信号を受信し、受信された前記映像信号に基づく映像を表示し、ユーザの操作を受け付け、受け付けた前記ユーザの操作に対応し、前記映像受信装置に対する操作信号を送出するとともに、前記リモートコントローラの各部を制御するステップ（例えば、図４のフローチャート）と、前記映像受信装置における、送信された前記操作信号を検知し、検知した前記操作信号に対応して前記映像受信装置の各部を制御するステップ（例えば、図５のフローチャート）とを含む。
【００２４】
本発明の第２の側面であるリモートコントローラは、送信された映像信号を受信し、前記映像信号に対応する映像を表示させる映像受信装置を制御するためのリモートコントローラにおいて、送信された前記映像信号を受信する受信手段（例えば、図２のチューナ２２）と、受信された前記映像信号に基づく映像を表示する表示手段（例えば、図２の映像選択合成部３１乃至ディスプレイ３３）と、ユーザの操作を受け付ける受付手段（例えば、図２の操作ボタン１１）と、受け付けられた前記ユーザの操作に対応し、前記操作信号を送出させるとともに、前記リモートコントローラの各部を制御する制御手段（例えば、図２の制御部１２）とを含む。
【００２５】
前記表示手段にズーム処理対象位置を示す枠を描画する描画手段（例えば、図２のOSD信号生成部３０）をさらに含むことができ、前記描画手段には、前記受付手段によって受け付けられた前記ユーザの操作に対応して前記枠を描画させ、前記制御手段には、前記送出手段を制御して、描画された前記枠の位置およびサイズを示す前記操作信号を送出させる。
【００２６】
本発明の第２の側面である表示制御方法は、送信された映像信号を受信し、前記映像信号に対応する映像を表示させる映像受信装置を制御するためのディスプレイ付リモートコントローラの表示制御方法において、送信された前記映像信号を受信し、送信された前記映像信号を受信し、受信された前記映像信号に基づく映像を表示し、ユーザの操作を受け付け、受け付けた前記ユーザの操作に対応し、前記映像受信装置に対する操作信号を送出するとともに、前記リモートコントローラの各部を制御するステップ（例えば、図４のフローチャート）を含む。
【００２７】
以下、本発明を適用した具体的な実施の形態について、図面を参照しながら詳細に説明する。
【００２８】
図１は、本発明の一実施の形態であるテレビジョンシステムの構成例を示している。このテレビジョンシステムは、ユーザからの操作に対応して操作信号を送出するリモートコントローラ１、およびリモートコントローラ１から送出される操作信号に対応して動作するテレビジョン受像機２から構成される。
【００２９】
リモートコントローラ１は、その正面に操作ボタン１１とディスプレイ３３を備え、一般的な機能、すなわち、受信チャンネルの切換、音量の増減、画質や音質の調整などの設定操作をユーザから受け付けて対応する操作信号を送出する機能の他、制御対象であるテレビジョン受像機１によって受信されている番組と同一内容の移動体向け信号を受信し、その映像を内蔵されたディスプレイ３３に表示するものである。
【００３０】
なお、地上デジタル放送には、通常の放送信号（車両などの移動体ではなく、家屋などで使用される一般的なテレビジョン受像機向けの放送信号）と、上述した移動体向け信号が同時に含まれているものとする。また、通常の放送信号による番組と移動体向け信号による番組は同一のもの（エンコード方式、画質などは異なってもよい）であって、番組の映像に重畳して表示すべき映像の情報（例えば、時報情報、EPGデータ、字幕テキストデータ、ニュース速報などのテロップデータ）も個別に抽出可能な状態で通常の放送信号と移動体向け信号のそれぞれに含まれているものとする。以下、上述した番組の映像に重畳して表示すべき映像の情報を付加情報と称する。
【００３１】
テレビジョン受像機２は、操作信号受信部５４によって受信されるリモートコントローラ１からの操作信号に従い、地上デジタル放送を受信してその映像を表示し、音声を出力する機能の他、画面上の任意の領域を拡大（ズーム）して表示したり、拡大する領域の位置を上下左右に移動（パンまたはチルト）したりする機能を有している。
【００３２】
なお、リモートコントローラ１においても、移動体向け信号を受信するのではなく、制御対象であるテレビジョン受像機１が受信している地上デジタル放送の通常の放送信号を受信して表示するようにしてもよい。ただし、リモートコントローラ１に内蔵されるアンテナ２１の感度、ディスプレイ３３の画枠サイズ、内蔵されるＡＶデコーダ２４の負荷などを考慮した場合、移動体向け信号を受信して表示することが望ましい。
【００３３】
図２はリモートコントローラ１の構成例を示している。
【００３４】
操作ボタン１１は、テレビジョン受像機２の各種の設定（チャンネル切換、音量増減など）に対応する複数のボタンからなり、ユーザの押下操作を検知して制御部１２に出力する。特に操作ボタン１１には、リモートコントローラ１における移動体向け信号の受信と表示を開始または終了するための受信ボタン１１−１、表示モード（後述）を選択するための表示モードボタン１１−２１（表示モード１を選択するボタン）、表示モードボタン１１−２２（表示モード２を選択するボタン）、および表示モードボタン１１−２３（表示モード３を選択するボタン）が含まれている。なお、ボタンの他、スティック、ダイヤル、タッチパネルなどの入力デバイスを設けてもよい。
【００３５】
制御部１２は、メモリ１３に記憶されている制御用プログラムに従ってリモートコントローラ１の全体を制御する。なお、制御部１２から各部に対する制御ラインの図示は省略されている。特に、制御部１２は、操作ボタン１１の検知結果に基づき、押下された操作ボタン１１に対応する操作信号を操作信号生成部１４に生成させるとともに、押下された操作ボタン１１に対応するOSD(On Screen Display)信号（選択されたチャンネルを示す数字、変更された音量を示す数字やレベルゲージ、拡大位置を示す枠やカーソルなどの映像信号）をOSD信号生成部３０に生成させる。さらに、制御部１２は、操作ボタン１１の検知結果が表示モードを変更する操作に対応するものであった場合、映像選択合成部３１において合成する映像を制御する。
【００３６】
操作信号生成部１４は、生成した操作信号をキャリア変調部１５に出力する。キャリア変調部１５は、搬送波を操作信号で変調して送信部１６に出力する。送信部１６は、操作信号によって変調された搬送波（以下、単に操作信号とも称する）を赤外線や電磁波などにより送出する。
【００３７】
チューナ２２は、内蔵されたアンテナ２１によって捕捉される地上デジタル放送信号から、テレビジョン受像機２が受信するチャンネルと同じチャンネルの移動体向け信号を受信してDEMUX部２３に出力する。DEMUX部２３は、チューナ２２から入力される移動体向け信号から、番組の映像に係わるビデオデータ、音声に係わるオーディオデータ、および付加情報を分離して、ビデオデータおよびオーディオデータをＡＶデコーダ２４に出力し、付加情報を付加情報処理部２９に出力する。
【００３８】
ＡＶデコーダ２４は、DEMUX部２３から入力されるビデオデータおよびオーディオデータをデコードし、その結果得られる音声信号および映像信号をそれぞれ音声信号処理部２５または映像信号処理部２８に出力する。
【００３９】
音声処理部２５は、ＡＶデコーダ２４から入力される音声信号に所定の処理を施して音声出力部２６に出力する。音声出力部２６は、音声処理部２５から入力される音声信号を増幅してリモートコントローラ１に内蔵されたスピーカ２７に出力する。スピーカ２７は、音声出力部２６からの入力に対応する音声を出力する。なお、音声処理部２５乃至スピーカ２７は省略してもよい。
【００４０】
映像処理部２８は、ＡＶデコーダ２４から入力される映像信号（以下、主映像信号と称する）に所定の画像処理を施して映像選択合成部３１に出力する。付加情報処理部２９は、ＡＶデコーダ２４から入力される付加情報に基づき、番組の映像に重畳すべき付加情報に対応する映像信号を生成して映像選択合成部３１に出力する。OSD信号生成部３０は、生成したOSD信号を映像選択部３１に出力する。以下、番組の映像に重畳すべき付加情報に対応する映像信号とOSD信号を付加映像信号と称する。
【００４１】
映像選択合成部３１は、制御部１２の制御に従い、主映像信号のみ、付加映像信号のみ、または主映像信号に付加映像信号を合成した映像信号（以下、合成映像信号と称する）を映像出力部３２に出力する。映像出力部３２は、映像選択合成部３１から入力される映像信号をディスプレイ３３に適したフォーマットに変換してディスプレイ３３に出力する。ディスプレイ３３は、映像出力部３２から入力される主映像信号のみに対応する映像（以下、主映像と称する）、付加映像信号のみに対応する映像（以下、付加映像と称する）、または合成映像信号に対応する映像（以下、合成映像と称する）を表示する。
【００４２】
図３はテレビジョン受像機２の構成例を示している。
【００４３】
操作信号入力部５１は、例えば、テレビジョン受像機２の筐体外面に設けられた複数のボタンなどを含み、ユーザの押下操作を検知して対応する操作信号を発生し、制御部５２に出力する。
【００４４】
制御部５２は、メモリ５３に記憶されている制御用プログラムに従ってテレビジョン受像機５２の全体を制御する。なお、制御部５２から各部に対する制御ラインの図示は省略されている。特に、制御部５２は、操作信号入力部５１または操作信号受信部５４から入力される操作信号に基づき、操作信号に対応するOSD(On Screen Display)信号（選択されたチャンネルを示す数字、変更された音量を示す数字やレベルゲージなどの映像信号）をOSD信号生成部６９に生成させる。さらに、制御部５２は、操作信号が表示モードの変更を指示するものであった場合、映像選択合成部７０において合成する映像を制御する。操作信号受信部５４は、リモートコントローラ１から送信された操作信号を受信して制御部５２に出力する。
【００４５】
チューナ６１は、図示せぬアンテナ線などから入力される地上デジタル放送信号から、ユーザによって選択されたチャンネルの放送信号を受信してDEMUX部６２に出力する。DEMUX部６２は、チューナ６１から入力される放送信号から、番組の映像に係わるビデオデータ、音声に係わるオーディオデータ、および付加情報を分離して、ビデオデータおよびオーディオデータをＡＶデコーダ６３に出力し、付加情報を付加情報処理部６８に出力する。
【００４６】
ＡＶデコーダ６３は、DEMUX部６２から入力されるビデオデータおよびオーディオデータをデコードし、その結果得られる音声信号および映像信号をそれぞれ音声信号処理部６４または映像信号処理部６７に出力する。
【００４７】
音声処理部６４は、ＡＶデコーダ６３から入力される音声信号に所定の処理を施して音声出力部６５に出力する。音声出力部６５は、音声処理部６４から入力される音声信号を増幅してスピーカ６６に出力する。スピーカ６６は、音声出力部６５からの入力に対応する音声を出力する。
【００４８】
映像処理部６７は、ＡＶデコーダ６３から入力される映像信号（以下、主映像信号と称する）に所定の処理（例えば、解像度変換処理、ズーミング処理など）を施して映像選択合成部７０に出力する。付加情報処理部６８は、ＡＶデコーダ６３から入力される付加情報に基づき、番組の映像に重畳すべき付加情報に対応する映像信号を生成して映像選択合成部７０に出力する。OSD信号生成部６９は、生成したOSD信号を映像選択部７０に出力する。以下、番組の映像に重畳すべき付加情報に対応する映像信号とOSD信号を、付加映像信号と称する。
【００４９】
映像選択合成部７０は、制御部５２の制御に従い、主映像信号のみ、付加映像信号のみ、または主映像信号に付加映像信号を合成した合成映像信号を映像出力部７１に出力する。映像出力部７１２は、映像選択合成部７０から入力される映像信号をディスプレイ７２に適したフォーマットに変換してディスプレイ７２に出力する。ディスプレイ７２は、映像出力部７１から入力される主映像信号のみに対応する映像（以下、主映像と称する）、付加映像信号のみに対応する映像（以下、付加映像と称する）、または合成映像信号に対応する映像（以下、合成映像と称する）を表示する。
【００５０】
ここで、３種類用意されている表示モード１乃至３について説明する。
【００５１】
表示モード１は、リモートコントローラ１のディスプレイ３３には付加映像のみを表示させ、テレビジョン受像機２のディスプレイ７２には主映像のみを表示させるモードである。表示モード２は、リモートコントローラ１のディスプレイ３３には主映像のみを表示させ、テレビジョン受像機２のディスプレイ７２には付加映像のみを表示させるモードである。表示モード３は、リモートコントローラ１のディスプレイ３３には付加映像のみ、主映像のみ、または合成映像（いずれを表示させるかは予め設定しておく）を表示させ、テレビジョン受像機２のディスプレイ７２に合成映像を表示させるモードである。
【００５２】
次にリモートコントローラ１とテレビジョン受像機２の処理について説明する。
【００５３】
図４は、リモートコントローラ１の処理を説明するフローチャートである。ステップＳ１において、制御部１２は、操作ボタン１１からの入力の有無に基づき、操作ボタン１１が押下されたか否かを判定し、押下されたと判定するまで待機する。押下されたと判定された場合、処理はステップＳ２に進む。
【００５４】
ステップＳ２において、制御部１２は、押下された操作ボタン１１が受信ボタン１１−１であるか否かを判定し、受信ボタン１１−１であると判定した場合、処理はステップＳ３に進む。そしてステップＳ３において、現在リモートコントローラ１におけて移動体向け信号が受信され表示されているか判定され、受信され表示されているならば、移動体向け信号の受信、分離、デコードなどが行われ、現在選択されている表示モードに従って対応する映像が表示される。
【００５５】
具体的には、チューナ２２がテレビジョン受像機２によって受信される番組と同じチャンネルの移動体向け信号を受信し、DEMUX部２３がチューナ２２で受信された移動体向け信号から、番組の映像に係わるビデオデータ、音声に係わるオーディオデータ、および付加情報を分離し、ＡＶデコーダ２４が、DEMUX部２３から入力されるビデオデータおよびオーディオデータをデコードする。そして、デコードの結果得られた声信号は音声信号処理部２５に供給され、映像信号は映像信号処理部２８に供給される。映像処理部２８では、ＡＶデコーダ２４から入力された主映像信号に所定の画像処理を施して映像選択合成部３１に出力する。一方、DEMUX部２３で分離された付加情報に対しては、付加情報処理部２９により、対応する付加映像信号が生成されて映像選択合成部３１に出力される。
【００５６】
映像選択合成部３１は、現在設定されている表示モードに従い、主映像信号のみ、付加映像信号のみ、または主映像信号に付加映像信号を合成した合成映像信号を映像出力部３２に出力する。そして映像出力部３２が映像信号のフォーマットを変換して、ディスプレイ３３に、主映像、付加映像、または合成映像が表示される。この後、ステップＳ１に戻り、それ以降の処理が繰り返される。
【００５７】
また反対に、ステップＳ３において、現在リモートコントローラ１におけて移動体向け信号が受信され表示されていると判定されたならば、移動体向け信号の受信などが終了される。この後、ステップＳ１に戻り、それ以降の処理が繰り返される。
【００５８】
ステップＳ２において、押下された操作ボタン１１が受信ボタン１１−１ではないと判定された場合、処理はステップＳ４に進む。
【００５９】
ステップＳ４において、制御部１２は、押下された操作ボタン１１が表示モードボタン１１−２１乃至１１−２３のいずれかであるか否かを判定する。否と判定された場合、処理はステップＳ５に進む。そしてステップＳ５において、操作信号生成部１４は、制御部１２からの制御に従い、押下された操作ボタン１１に対応する操作信号を発生してキャリア変調部１５に出力する。キャリア変調部１５は、生成された操作信号に基づいて搬送波を変調し送信部１６に出力する。送信部１６は、操作信号に対応して変調された搬送波を送信する。この送信された操作信号はテレビジョン受像機２によって受信され、テレビジョン受像機２において対応する動作が実行される。この後、ステップＳ１に戻り、それ以降の処理が繰り返される。
【００６０】
ステップＳ４において、押下された操作ボタン１１が表示モードボタン１１−２１乃至１１−２３のいずれかであると判定された場合、処理はステップＳ６に進む。
【００６１】
ステップＳ６において、制御部１２は、押下された操作ボタン１１が表示モード１を選択するための表示モードボタン１１−２１であるか否かを判定し、表示モードボタン１１−２１であると判定した場合、処理はステップＳ７に進む。
【００６２】
ステップＳ７において、操作信号生成部１４は、制御部１２からの制御に従い、押下された表示モードボタン１１−２１に対応する操作信号を発生してキャリア変調部１５に出力する。キャリア変調部１５は、生成された操作信号に基づいて搬送波を変調し送信部１６に出力する。送信部１６は、操作信号に対応して変調された搬送波を送信する。この送信された操作信号はテレビジョン受像機２によって受信され、テレビジョン受像機２において表示モード１に対応する動作（図５のステップＳ３５の処理）が実行される。
【００６３】
ステップＳ８において、映像選択合成部３１は、制御部１２からの制御に基づき、付加映像信号を後段に出力する。映像出力部３２は、映像選択合成部３１から入力された付加映像信号をディスプレイ３３に適したフォーマットに変換してディスプレイ３３に出力する。ディスプレイ３３は、映像出力部３２から入力された付加映像信号に対応する付加映像を表示する。この後、ステップＳ１に戻り、それ以降の処理が繰り返される。
【００６４】
ステップＳ６において、押下された操作ボタン１１が表示モードボタン１１−２１ではないと判定された場合、処理はステップＳ９に進む。
【００６５】
ステップＳ９において、制御部１２は、押下された操作ボタン１１が表示モード２を選択するための表示モードボタン１１−２２であるか否かを判定し、表示モードボタン１１−２２であると判定した場合、処理はステップＳ１０に進む。
【００６６】
ステップＳ１０において、操作信号生成部１４は、制御部１２からの制御に従い、押下された表示モードボタン１１−２２に対応する操作信号を発生してキャリア変調部１５に出力する。キャリア変調部１５は、生成された操作信号に基づいて搬送波を変調し送信部１６に出力する。送信部１６は、操作信号に対応して変調された搬送波を送信する。この送信された操作信号はテレビジョン受像機２によって受信され、テレビジョン受像機２において表示モード２に対応する動作（図５のステップＳ３７の処理）が実行される。
【００６７】
ステップＳ１１において、映像選択合成部３１は、制御部１２からの制御に基づき、主映像信号を後段に出力する。映像出力部３２は、映像選択合成部３１から入力された主映像信号をディスプレイ３３に適したフォーマットに変換してディスプレイ３３に出力する。ディスプレイ３３は、映像出力部３２から入力された主映像信号に対応する主映像を表示する。この後、ステップＳ１に戻り、それ以降の処理が繰り返される。
【００６８】
ステップＳ９において、押下された操作ボタン１１が表示モードボタン１１−２２ではないと判定された場合、押下された操作ボタン１１は表示モード３を選択するための表示モードボタン１１−２３と判定されて、処理はステップＳ１２に進む。
【００６９】
ステップＳ１２において、操作信号生成部１４は、制御部１２からの制御に従い、押下された表示モードボタン１１−２３に対応する操作信号を発生してキャリア変調部１５に出力する。キャリア変調部１５は、生成された操作信号に基づいて搬送波を変調し送信部１６に出力する。送信部１６は、操作信号に対応して変調された搬送波を送信する。この送信された操作信号はテレビジョン受像機２によって受信され、テレビジョン受像機２において表示モード３に対応する動作（図５のステップＳ３７の処理）が実行される。
【００７０】
ステップＳ１３において、映像選択合成部３１は、制御部１２からの制御に基づき、主映像信号、付加映像信号、または主映像信号に付加映像信号を合成した合成映像信号を後段に出力する。なお、いずれを出力するかは予め設定されているものとする。映像出力部３２は、映像選択合成部３１から入力された映像信号をディスプレイ３３に適したフォーマットに変換してディスプレイ３３に出力する。ディスプレイ３３は、映像出力部３２から入力された映像信号に対応する映像、すなわち、主映像、付加映像、または合成映像を表示する。この後、ステップＳ１に戻り、それ以降の処理が繰り返される。以上、リモートコントローラ１の処理の説明を終了する。
【００７１】
次に図５は、テレビジョン受像機２の処理を説明するフローチャートである。なお、この処理が開始される前提として、すでにテレビジョン受像機２では、地上デジタル放送の通常の放送信号が受信され、その映像が現在選択されている表示モードに従ってディスプレイ７７に表示されているものとする。
【００７２】
ステップＳ３１において、制御部５２は、操作信号受信部５４によってリモートコントローラ１から送信された操作信号を受信したか否かを判定し、リモートコントローラ１から送信された操作信号を受信したと判定するまで待機する。リモートコントローラ１から送信された操作信号を受信したと判定された場合、処理はステップＳ３２に進む。
【００７３】
ステップＳ３２において、制御部５２は、受信された操作信号が表示モードの変更を指示するものであるか否かを判定する。否と判定された場合、処理はステップＳ３３に進む。そしてステップＳ３３において、制御部５２は、受信した操作信号に対応する処理を行う。例えば、チューナ６１を制御して受信チャンネルを切換させたり、音声出力部６５を制御してスピーカ６６の音量を調整したりする。この後、ステップＳ３１に戻り、それ以降の処理が繰り返される。
【００７４】
ステップＳ３２において、受信された操作信号が表示モードの変更を指示するものであると判定された場合、処理はステップＳ３４に進む。
【００７５】
ステップＳ３４において、制御部５２は、受信された操作信号が表示モード１ヘの変更を指示するものであるか否かを判定する。表示モード１ヘの変更を指示する操作信号であると判定された場合、処理はステップＳ３５に進む。ステップＳ３５において、映像選択合成部７０は、制御部５２からの制御に基づき、主映像信号を後段に出力する。映像出力部７１は、映像選択合成部７０から入力された主映像信号をディスプレイ７２に適したフォーマットに変換してディスプレイ７２に出力する。ディスプレイ７２は、映像出力部７１から入力された主映像信号に対応する主映像を表示する。なお、このとき、リモートコントローラ１のディスプレイ３３には付加映像が表示されている。この後、ステップＳ３１に戻り、それ以降の処理が繰り返される。
【００７６】
ステップＳ３４において、表示モード１ヘの変更を指示する操作信号ではないと判定された場合、処理はステップＳ３６に進む。ステップＳ３６において、制御部５２は、受信された操作信号が表示モード２ヘの変更を指示するものであるか否かを判定する。表示モード２ヘの変更を指示する操作信号であると判定された場合、処理はステップＳ３７に進む。ステップＳ３７において、映像選択合成部７０は、制御部５２からの制御に基づき、付加像信号を後段に出力する。映像出力部７１は、映像選択合成部７０から入力された付加像信号をディスプレイ７２に適したフォーマットに変換してディスプレイ７２に出力する。ディスプレイ７２は、映像出力部７１から入力された付加映像信号に対応する付加映像を表示する。なお、このとき、リモートコントローラ１のディスプレイ３３には主映像が表示されている。この後、ステップＳ３１に戻り、それ以降の処理が繰り返される。
【００７７】
ステップＳ３６において、表示モード２ヘの変更を指示する操作信号ではないと判定された場合、表示モード３ヘの変更を指示する操作信号であると判定されて、処理はステップＳ３８に進む。ステップＳ３８において、ステップＳ３８において、映像選択合成部７０は、制御部５２からの制御に基づき、主映像信号に付加像信号を合成した合成映像信号を生成して後段に出力する。映像出力部７１は、映像選択合成部７０から入力された合成像信号をディスプレイ７２に適したフォーマットに変換してディスプレイ７２に出力する。ディスプレイ７２は、映像出力部７１から入力された合成映像信号に対応する合成映像を表示する。なお、このとき、リモートコントローラ１のディスプレイ３３には、主映像、付加映像、または合成映像が表示されている。この後、ステップＳ３１に戻り、それ以降の処理が繰り返される。以上で、テレビジョン受像機２の処理の説明を終了する。
【００７８】
なお、表示モードは上述した３種類の他、例えば、リモートコントローラ１のディスプレイ３３には主映像のみを表示させ、テレビジョン受像機２のディスプレイ７２には主映像の任意の領域を拡大した映像を表示させるモードや、リモートコントローラ１のディスプレイ３３にはOSD映像（選局中のチャンネルの数字やアイコン、音量の数字やレベルゲージなど）のみを表示させ、テレビジョン受像機２のディスプレイ７２には主映像を表示させるモードなども考えられる。
【００７９】
以上説明したように、本発明を適用したテレビジョンシステムによれば、ユーザによって設定される表示モードに従って、リモートコントローラ１のディスプレイ３３とテレビジョン受像機２のディスプレイ７２の一方に主映像、他方に付加映像を表示させることができる。したがって、主映像が付加映像によって見にくくなってしまうような事態を防ぐことができる。また、主映像を見ながら付加映像を確認したり、リモートコントローラ１を携帯可能なテレビジョン受像機として使用したりすることができる。
【００８０】
また、本発明は、リモートコントローラと、その制御対象であってテレビジョン放送信号を受信する機器（ビデオレコーダ、セットトップボックス、画像処理装置など）とからなるシステムに適用することが可能である。
【００８１】
なお、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００８２】
また、本明細書において、システムとは、複数の装置により構成される装置全体を表すものである。
【００８３】
なお、本発明の実施の形態は、上述した実施の形態に限定されるものではなく、本発明の要旨を逸脱しない範囲において種々の変更が可能である。
【図面の簡単な説明】
【００８４】
【図１】本発明を適用したテレビジョンシステムの構成例を示す図である。
【図２】図１のリモートコントローラの構成例を示すブロック図である。
【図３】図１のテレビジョン受像機の構成例を示すブロック図である。
【図４】図１のリモートコントローラの処理を説明するフローチャートである。
【図５】図１のテレビジョン受像機の処理を説明するフローチャートである。
【符号の説明】
【００８５】
１  リモートコントローラ，  ２  テレビジョン受像機，  １１  操作ボタン,  １２  制御部,  １３  メモリ,  １４  操作生成部,  １５  キャリア変調部,  １６  送信部,  ２１  アンテナ,  ２２  チューナ,  ２３  DEMUX部,  ２４  ＡＶデコーダ,  ２５  音声処理部,  ２６  音声出力部,  ２７  スピーカ,  ２８  映像処理部,  ２９  付加情報処理部，  ３０  OSD信号生成部，  ３１  映像選択合成部，  ３２  映像出力部，  ３３  ディスプレイ，  ５１  操作信号入力部,  ５２  制御部,  ５３  メモリ,  ５４  操作信号受信部,  ６１  チューナ,  ６２  DEMUX部,  ６３  ＡＶデコーダ,  ６４  音声処理部,  ６５  音声出力部,  ６６  スピーカ,  ６７  映像処理部，  ６８  付加情報処理部，  ６９  OSD信号生成部，  ７０  映像選択合成部，  ７１  映像出力部，  ７２  ディスプレイ
【図１】
2007006356.tif 000003
【図２】
2007006356.tif 000004
【図３】
2007006356.tif 000005
【図４】
2007006356.tif 000006
【図５】
2007006356.tif 000007